(57)【要約】【課題】  ＲＦＩＤタグが取り付けられた少数の物品を、収納ユニットに収納して管理することに適し、かつ設置スペースを節約できる物品情報の読出装置を備える什器を提供すること。【解決手段】  電動式の施解錠装置６が設けられた扉２を有し、物品情報が記憶されたＲＦＩＤタグ１２が取り付けられた物品７を収納でき、ＲＦＩＤタグ１２の物品情報を読み出す読出装置１７が内部に配置された収納ユニット３と、収納ユニット３の上面９または下面１５に連結可能で、かつ読出装置１７からの物品情報を記憶でき、物品情報と対応づけて物品へのアクセスが許可された個人認証情報が予め記憶された記憶手段と、個人認証用の認証端末２３が設けられ、認証端末２３からの個人認証情報が、予め記憶された個人認証情報と一致したときに、施解錠装置６を解錠する制御手段とを有する制御ユニット４とを備えるように什器１を構成する。【選択図】  図１
2006316525.tif 000002
【特許請求の範囲】
【請求項１】
電動式の施解錠装置が設けられた扉を有し、物品情報が記憶されたＲＦＩＤタグが取り付けられた物品を収納できるとともに、前記ＲＦＩＤタグの物品情報を読み出す読出装置が内部に配置された収納ユニットと、該収納ユニットの上面または下面に連結可能で、かつ前記読出装置からの物品情報を記憶できるとともに、物品情報と対応づけて物品へのアクセスが許可された個人認証情報が予め記憶された記憶手段と、個人認証用の認証端末と、該認証端末からの個人認証情報が、予め登録されている個人認証情報と一致したときに、前記施解錠装置を解錠する制御手段とを有する制御ユニットと、を備えることを特徴とする物品情報の読出装置を備える什器。
【請求項２】
前記収納ユニットの少なくとも背面板が電磁遮蔽材によって構成されており、前記読出装置が前記背面板から所定間隔離間されて配置され、その所定間隔を利用して、前記読出装置と制御ユニットとの配線が施されている請求項１に記載の物品情報の読出装置を備える什器。
【請求項３】
前記収納ユニットの少なくとも上面板には、着脱可能な蓋体が設けられた配線孔部が形成される請求項１または２に記載の物品情報の読出装置を備える什器。
【請求項４】
前記収納ユニットを上下方向に複数連結できるとともに、該複数の収納ユニットを１つの前記制御ユニットにより制御できるようにした請求項１ないし３のいずれかに記載の物品情報の読出装置を備える什器。
【請求項５】
アクセスが許可された物品以外の物品が前記収納ユニットから取り出されたときに、前記制御ユニットは、取り出されてから所定時間経過後に、取り出し誤り報知を行う報知手段を備える請求項１ないし４のいずれかに記載の物品情報の読出装置を備える什器。
【請求項６】
前記記憶手段は、前記報知手段作動時に、報知手段の作動時刻、継続時間及び施解錠装置を解錠した個人認証情報を記憶する請求項５に記載の物品情報の読出装置を備える什器。
【請求項７】
前記制御手段は、前記施解錠装置が解錠された後、個人認証情報に基づいて認証端末を再認証した場合に、前記施解錠装置を施錠するように制御する請求項１ないし６のいずれかに記載の物品情報の読出装置を備える什器。
【発明の詳細な説明】
【技術分野】
【０００１】
本発明は、物品情報の読出装置を備える什器に関する。
【背景技術】
【０００２】
従来、複数の収納ブロックが設けられた棚本体に、複数の荷が収納されており、この荷に取り付けられたＩＣタグに記憶された物品情報を、収納ブロック内部に配置された仕切板に取り付けられたタグリーダーによって読み出し、管理端末で管理することで、利用者が目的とする荷が収納された収納ブロックを検索できるようにしたものがある（例えば、特許文献１参照）。
【０００３】
【特許文献１】特開２００４−２８４７００号公報（第３頁、第２図）
【発明の開示】
【発明が解決しようとする課題】
【０００４】
しかしながら、特許文献１にあっては、荷（物品）に取り付けられたＩＣタグ（ＲＦＩＤタグ）の物品情報を読み出すためのタグリーダー（読出装置）を備えた収納ブロック（収納ユニット）が、棚本体（什器）に多数設けられており、大量の荷を管理することには適しているが、システム規模が大きく棚本体が高価となってしまい、少数の荷を収納して管理することには適していない。かつ収納ブロックと管理端末（制御ユニット）が別体で構成されるため広い設置スペースを必要とする。
【０００５】
本発明は、このような問題点に着目してなされたもので、ＲＦＩＤタグが取り付けられた少数の物品を、収納ユニットに収納して管理することに適し、かつ設置スペースを節約できる物品情報の読出装置を備える什器を提供することを目的とする。
【課題を解決するための手段】
【０００６】
前記課題を解決するために、本発明の請求項１に記載の物品情報の読出装置を備える什器は、
電動式の施解錠装置が設けられた扉を有し、物品情報が記憶されたＲＦＩＤタグが取り付けられた物品を収納できるとともに、前記ＲＦＩＤタグの物品情報を読み出す読出装置が内部に配置された収納ユニットと、該収納ユニットの上面または下面に連結可能で、かつ前記読出装置からの物品情報を記憶できるとともに、物品情報と対応づけて物品へのアクセスが許可された個人認証情報が予め記憶された記憶手段と、個人認証用の認証端末と、該認証端末からの個人認証情報が、予め登録されている個人認証情報と一致したときに、前記施解錠装置を解錠する制御手段とを有する制御ユニットと、を備えることを特徴としている。
この特徴によれば、扉を施解錠可能な電動式の施解錠装置が設けられた収納ユニットと、個人認証用の認証端末が設けられた制御ユニットという簡単な組み合わせで、ＲＦＩＤタグが取り付けられた物品を収納管理できるので、収納する物品が少数であっても、それに合わせた什器を構成でき、かつ制御ユニットが収納ユニットの上面または下面に連結されて設置されるので、什器の設置スペースを節約できる。また、収納されている物品はその物品へのアクセスが許されている者のみが施解錠装置を解錠状態にし得るので、重要書類等を厳重に管理できる。
【０００７】
本発明の請求項２に記載の物品情報の読出装置を備える什器は、請求項１に記載の物品情報の読出装置を備える什器であって、
前記収納ユニットの少なくとも背面板が電磁遮蔽材によって構成されており、前記読出装置が前記背面板から所定間隔離間されて配置され、その所定間隔を利用して、前記読出装置と制御ユニットとの配線が施されていることを特徴としている。
この特徴によれば、読出装置が背面板を構成する電磁遮蔽材から所定間隔離間されるので、読出装置とＲＦＩＤタグの送受信に使用される電磁波が、電磁遮蔽材に影響されることがなくなり、かつその所定間隔を利用して配線が行われるので、収納ユニット内部のスペースを有効に利用できる。
【０００８】
本発明の請求項３に記載の物品情報の読出装置を備える什器は、請求項１または２に記載の物品情報の読出装置を備える什器であって、
前記収納ユニットの少なくとも上面板には、着脱可能な蓋体が設けられた配線孔部が形成されることを特徴としている。
この特徴によれば、収納ユニットの上面板に配線孔部が形成されていることで、この配線孔部を利用して制御ユニットと外部機器との配線を容易に行うことができ、かつ収納ユニットの上面板に何も連結しないときには、蓋体によって配線孔部を隠蔽できる。
【０００９】
本発明の請求項４に記載の物品情報の読出装置を備える什器は、請求項１ないし３のいずれかに記載の物品情報の読出装置を備える什器であって、
前記収納ユニットを上下方向に複数連結できるとともに、該複数の収納ユニットを１つの前記制御ユニットにより制御できるようにしたことを特徴としている。
この特徴によれば、収納ユニットのみを増設していくことが可能となり、１つの制御ユニットによって複数の収納ユニットが制御できるので、什器の部品点数を減らすことができ、かつ什器の設置スペースを有効に利用できる。
【００１０】
本発明の請求項５に記載の物品情報の読出装置を備える什器は、請求項１ないし４のいずれかに記載の物品情報の読出装置を備える什器であって、
アクセスが許可された物品以外の物品が前記収納ユニットから取り出されたときに、前記制御ユニットは、取り出されてから所定時間経過後に、取り出し誤り報知を行う報知手段を備えることを特徴としている。
この特徴によれば、収納ユニットから物品を取り出す使用者が、誤った物品を取り出したときに、取り出しが誤りであることを報知できる。そして所定時間経過後に報知を行うことで、頻繁に取り出し誤り報知が行われることを防ぐことができる。尚、ここで言う所定時間とは、使用者が誤った物品を取り出したことに気付き、再び物品を収納ユニットに戻す程度の時間が好ましい。
【００１１】
本発明の請求項６に記載の物品情報の読出装置を備える什器は、請求項５に記載の物品情報の読出装置を備える什器であって、
前記記憶手段は、前記報知手段作動時に、報知手段の作動時刻、継続時間及び施解錠装置を解錠した個人認証情報を記憶することを特徴としている。
この特徴によれば、誰が、何時、どのくらいの時間、アクセスが許されていない物品を使用したかの履歴を残せる。
【００１２】
本発明の請求項７に記載の物品情報の読出装置を備える什器は、請求項１ないし６のいずれかに記載の物品情報の読出装置を備える什器であって、
前記制御手段は、前記施解錠装置が解錠された後、個人認証情報に基づいて認証端末を再認証した場合に、前記施解錠装置を施錠するように制御することを特徴としている。
この特徴によれば、施解錠装置を施錠するためのドア開閉検知スイッチや該スイッチのための回路を構築する必要がなく、既に設けられている認証情報用の信号回路を利用することで、施解錠装置の施錠が行える。
【発明を実施するための最良の形態】
【００１３】
本発明に係る物品情報の読出装置を備える什器を実施するための最良の形態を実施例に基づいて以下に説明する。
【実施例１】
【００１４】
本発明の実施例を図面に基づいて説明すると、先ず図１は、実施例１における什器を示す斜視図であり、図２は、実施例１における什器を示す正面図であり、図３は、図２における収納ユニットを示すＡ−Ａ横断平面図であり、図４は、図２における制御ユニットを示すＢ−Ｂ横断平面図である。以下、図３及び図４の下方側を什器の正面側として説明する。
【００１５】
図１の符号１は、本発明が適用された什器であり、この什器１は、正面側に観音扉式の扉２を有する収納ユニット３と、この収納ユニット３の下面に連結される制御ユニット４とで構成されている。収納ユニット３の扉２には、取手５が設けられるとともに、この取手５の近傍には、電気信号によって施解錠される本実施例における施解錠装置としての電動式の電子錠６が設けられている。尚、この電子錠６は、停電時などの電気信号を電子錠６に送ることができない場合に、手動のキー操作によっても施解錠できるようになっている。更に、取手５の近傍には、什器１の使用者が目的とするファイル７が収納されることを報知する収納ユニットＬＥＤ８が取り付けられている。
【００１６】
図１に示すように、収納ユニット３の上面板９には、配線孔部１０が形成されており、この配線孔部１０は、着脱可能な蓋体１１によって隠蔽されている。この配線孔部１０は収納ユニット３の上部に更に他の収納ユニットを重ねる場合や、後で述べる制御ユニット４や、外部機器（パソコン）等との情報の授受のための配線予備孔として形成されている。
【００１７】
図３に示すように、収納ユニット３の内部には、本実施例における物品としてのファイル７が収納されるようになっており、個々のファイル７には、ＲＦＩＤタグ１２が取り付けられている。尚、ＲＦＩＤ（Ｒａｄｉｏ Ｆｒｅｑｕｅｎｃｙ ＩＤｅｎｔｉｆｉｃａｔｉｏｎ、無線による識別）タグ１２とは、記憶部を有するＩＣチップと、記憶部に記憶された情報を送受信可能な無線アンテナと、から構成されている。
【００１８】
図３に示すように、収納ユニット３の扉２、側面板１３、背面板１４、上面板９及び下面板１５は、金属等の電磁遮蔽材（ＥＭＳ材）で構成されている。背面板１４から所定間隔離間した位置には、硬質プラスチック材等の非電磁遮蔽材で構成された背面スペーサ１６が設けられている。背面スペーサ１６には、収納ユニット３内部のファイル７に取り付けられたＲＦＩＤタグ１２に記憶された物品情報を読み出すための本実施例における読出装置としてのＲＦＩＤアンテナ１７が取り付けられている。電磁遮蔽材で構成される背面板１４から所定間隔（約４０ｍｍ）離れた位置に、ＲＦＩＤアンテナ１７が配置されることで、ＲＦＩＤアンテナ１７とＲＦＩＤタグ１２との送受信に使用される電磁波が、背面板１４の影響を受けることなく、ＲＦＩＤタグ１２に記憶されている物品情報を正確に読み出せるようになっている。
【００１９】
図３に示すように、収納ユニット３の下面板１５には、配線孔部１８が形成されており、ＲＦＩＤアンテナ１７から延びる電気ケーブル１９は、背面板１４と背面スペーサ１６との間の所定間隔を利用して配線されている。更に制御ユニット４が収納ユニット３の下面に連結されることで、収納ユニット３内部の前後方向及び左右方向の幅を有効に利用できる。尚、ＲＦＩＤアンテナ１７から延びる電気ケーブル１９は、下面板１５に形成された配線孔部１８を通して、収納ユニット３の下面に連結された制御ユニット４に配線される。
【００２０】
図２に示すように、制御ユニット４は、内部に管理コンピュータ２０を有し、正面側に操作パネル部２１を有している。この操作パネル部２１には、手動のキー操作を行うことによって、制御ユニット４内部の管理コンピュータ２０の電源のＯＮ／ＯＦＦを行うためのシリンダ錠２２が設けられている。また、什器１を使用する複数の使用者を識別するために、個人認証情報が記憶されたＲＦＩＤカード（図示略）を受け付ける本実施例における認証端末としてのカードリーダ２３が設けられている。更に、什器１の制御状態を示す制御ユニットＬＥＤ２４や、使用者が暗証番号を入力するためのテンキー２５が設けられている。尚、操作パネル部２１の左側には、管理コンピュータ２０で発生する熱を外部に放出するために、複数の小孔が形成されたメッシュ部２６が設けられている。
【００２１】
図４に示すように、制御ユニット４の内部には、管理コンピュータ２０が設けられており、この管理コンピュータ２０には、電源ケーブル２７や、操作パネル部２１に接続される電気ケーブル２８や、収納ユニット３の内部のＲＦＩＤアンテナ１７から延設された電気ケーブル１９が接続されている。また、管理コンピュータ２０の基板上には、取り出し誤り報知を行う本実施例における報知手段としての電子ブザー２９が取り付けられている。
【００２２】
更にこの管理コンピュータ２０には、什器１の外部に設置されたパソコン（図示略）と無線通信を行うための無線ＬＡＮカード３０が取り付けられている。尚、制御ユニット４を構成する部品の少なくとも一部には、無線通信に使用される電磁波を通し易くするために、硬質プラスチック材等の非電磁遮蔽材が用いられている。
【００２３】
図２に示すように、制御ユニット４の内部の管理コンピュータ２０に、使用者が所持するＲＦＩＤカード（図示略）に記憶される個人認証情報を登録する際には、無線通信を用いることで、パソコン（図示略）から無線ＬＡＮカード３０を介して管理コンピュータ２０に登録できるようになっている。また、管理コンピュータ２０は、収納ユニット３内部のＲＦＩＤアンテナ１７を介して読み出された物品情報を記憶管理できるようになっている。
【００２４】
具体的に説明すると、制御ユニット４は、複数のＲＦＩＤカード（図示略）に記憶された各々の個人認証情報と、収納ユニット３内部に収納された複数のファイル７に取り付けられたＲＦＩＤタグ１２に記憶された物品情報を対応づけて記憶管理（記憶手段）できるようになっており、各々の個人認証情報には、アクセスが許可されたファイル７の物品情報のみが対応づけて登録されるようになっている。
【００２５】
什器１の使用者が、収納ユニット３に内部の目的とするファイル７を取り出す場合には、先ず、使用者が所持しているＲＦＩＤカード（図示略）をカードリーダ２３にかざす。すると、カードリーダ２３は、ＲＦＩＤカード（図示略）に記憶された個人認証情報を読み出し、読み出された個人認証情報が管理コンピュータ２０に登録されている場合には、什器１の使用者が什器内の収納されているファイル７に対してアクセス権があると判断し、管理コンピュータ２０は、収納ユニットＬＥＤ８を点灯させる。そこでテンキー２５に正しい暗証番号が打ち込まれると、管理コンピュータ２０は、図示されていない制御手段により収納ユニット３の扉２の電子錠６に電気信号を送り解錠を行うようになっている。
【００２６】
そして、使用者が収納ユニット３の扉２を開放し、収納ユニット３内部に収納される複数のファイル７の内、使用者がアクセス許可されたファイル７を取り出すと、ＲＦＩＤアンテナ１７が、取り出されたファイル７に取り付けられたＲＦＩＤタグ１２との電磁波を用いた送受信が行えなくなるので、管理コンピュータ２０はファイル７が取り出されたことを記録できるようになっている。そして、使用者が収納ユニット３の扉２を閉鎖すると、管理コンピュータ２０は制御手段により電子錠６に電気信号を送って、収納ユニットの扉２の施錠を行うようになっている。
【００２７】
尚、収納ユニット３内部に収納される複数のファイル７の内、使用者がアクセス許可されたファイル７以外のファイル７を誤って取り出すと、ＲＦＩＤアンテナ１７が、誤って取り出されたファイル７に取り付けられたＲＦＩＤタグ１２との電磁波を用いた送受信が行えなくなるので、管理コンピュータ２０は使用者が誤ったファイル７が取り出しされたことを把握できるようになっている。
【００２８】
更に、管理コンピュータ２０は、誤って取り出されたファイル７に取り付けられたＲＦＩＤタグ１２と、ＲＦＩＤアンテナ１７との電磁波の送受信が行えなくなってから所定時間経過後に、電子ブザー２９（報知手段）を鳴らして取り出し誤り報知を行うようになっている。尚、使用者が収納ユニット３から誤ったファイル７を取り出して直ぐに電子ブザー２９が鳴ると、取り出し間違いを起こすたびに頻繁に電子ブザー２９が鳴ってしまい、使用者が不快に感じるようになる場合がある。しかしながら本発明の什器１は、使用者が誤ったファイル７を取り出して所定時間経過後に電子ブザー２９を鳴らすようにしていることで、頻繁に電子ブザー２９が鳴ることを防ぐことができる。
【００２９】
尚、誤ってファイル７が取り出されてから電子ブザー２９が鳴るまでの所定時間は、使用者が誤ったファイル７を取り出したことに気付き、再びファイル７を収納ユニット３内部に戻すまでの時間（約５〜１０秒程度）が好ましい。また、所定時間内に、再びファイル７が収納ユニット３内部に戻されたときは、誤って取り出されたファイル７に取り付けられたＲＦＩＤタグ１２と、ＲＦＩＤアンテナ１７との電磁波を送受信が再開されるので、電子ブザー２９は鳴らないようになっている。
【００３０】
また、制御ユニット４内部の管理コンピュータ２０の記憶手段は、電子ブザー２９の作動時に、電子ブザー２９の作動時刻、継続時間及びそのときに施解錠装置を解錠した個人情報を記憶して、誰が、何時、どのくらいの時間、アクセスが許されていない物品を使用したかの履歴を残せるようにしている。
【００３１】
更に、管理コンピュータ２０の記憶手段は、収納ユニット３に収納されるファイル７の収納日時や、取り出し日時、更に、ＲＦＩＤカード（図示略）を所持している複数の使用者の内、いずれの使用者がファイル７を取り出したのか等の様々なファイル７の履歴情報の記憶ができるようになっている。尚、管理コンピュータ２０に記憶されるファイル７の履歴情報は、無線ＬＡＮカード３０を用いた無線通信によって、什器１の外部に設置されるパソコン（図示略）に送信されるようになっており、管理者はパソコン（図示略）を用いてファイル７の履歴情報を確認できるようになっている。
【実施例２】
【００３２】
次に、実施例２に係る物品情報の読出装置を備える什器につき、図５及び図６を参照して説明する。尚、前記実施例と同一構成で重複する構成を省略する。図５は、実施例２における什器を示す正面図であり、図６は、図５における什器を示すＣ−Ｃ縦断側面図である。
【００３３】
図５に示すように、実施例２における什器３１には、３つの収納ユニット３２が上下方向に連結されるようになっており、制御ユニット３３が中段の収納ユニット３２と下段の収納ユニット３２との間に挟まれるように連結されている。尚、制御ユニット３３が連結される位置は、上段の収納ユニット３２の上面や、上段の収納ユニット３２と中段の収納ユニット３２との間や、下段の収納ユニット３２の下面であってもよく、使用者が使い易い位置に制御ユニット３３を配置できるようになっている。
【００３４】
図６に示すように、各々の収納ユニット３２内部に配置されるＲＦＩＤアンテナ３４から延びる電気ケーブル３５は、収納ユニット３２の上面板３６及び下面板３７に形成された配線孔部３８、３９を利用して配線されるとともに、背面板４０とＲＦＩＤアンテナ３４が取り付けられる背面スペーサ４１との間の所定間隔を利用して配線されている。尚、上段に配置される収納ユニット３２の上面板３６に形成された配線孔部３８は、蓋体４２によって隠蔽されており、什器３１の見栄えが向上するようになっている。
【００３５】
図６に示すように、各々の収納ユニット３２は、１つの制御ユニット３３で制御できるようになっており、収納ユニット３２のみを増設していくことが可能となっている。また、制御ユニット３３及び収納ユニット３２が上下方向に連結されるので、什器３１の上下方向の設置スペースを有効に利用でき、かつ１つの制御ユニット３３によって複数の収納ユニット３２が制御できるので、什器３１の部品点数を減らすことができる。
【００３６】
また、この什器３１は、ＲＦＩＤタグ４３が取り付けられたファイル４４を収納する収納ユニット３２と、使用者が所持するＲＦＩＤカード（図示略）のカードリーダ４５が設けられた制御ユニット３３という簡単な組み合わせで、複数のファイル４４を収納管理できるので、収納管理するファイル４４が少数であっても、ファイル４４の数量に合わせた什器３１を構成でき、全体構成が小さくて安価な什器３１を提供できる。更に、制御ユニット３３や収納ユニット３２が上下方向に連結されて設置されるので、什器３１を設置するための水平方向のスペースを節約できるようになっている。
【００３７】
什器３１の使用者が目的とするファイル４４を取り出す場合には、使用者が所持しているＲＦＩＤカード（図示略）をカードリーダ４５にかざす。すると、カードリーダ４５により読み出された個人認証情報が管理コンピュータ４８に登録されている場合には、管理コンピュータ４８は什器の使用者が什器３１内の収納されているファイル４４に対してアクセス権があると判断し、アクセス権があるファイル４４が収納されている収納ユニットＬＥＤ４６を点灯させる。そこでテンキー４７に正しい暗証番号が打ち込まれると、管理コンピュータ４８は、該当するファイル４４が収納される収納ユニット３２の扉４９の電子錠５０に電気信号を送り解錠を行うようになっている。
【００３８】
尚、複数設置されている収納ユニット３２の内、１つの収納ユニット３２のみに、使用者がアクセスが許可されたファイル４４が収納される場合には、該当する収納ユニット３２の収納ユニットＬＥＤ４６が点灯するとともに、該当する収納ユニット３２の電子錠５０のみが解錠されるようになっている。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、前記実施例では、収納ユニット３と制御ユニット４が、それぞれ別体として構成されていたが、本発明はこれに限定されるものではなく、収納ユニット３と制御ユニット４を一体とした構成としてもよい。
【００４１】
また、前記実施例では、収納ユニット３と制御ユニット４を、そのまま什器１として使用していたが、本発明はこれに限定されるものではなく、棚状の什器内に、収納ユニット３と制御ユニット４を収納させて使用することもできる。
【００４２】
また、前記実施例では、制御ユニット４内部の管理コンピュータ２０が無線ＬＡＮカード３０を搭載し、無線通信を用いて什器１の外部に設置されたパソコンと情報の送受信を行っていたが、本発明はこれに限定されるものではなく、管理コンピュータ２０と什器１の外部に設置されたパソコンとを有線ＬＡＮケーブルで接続することで、情報の送受信を行うようにしてもよい。尚、収納ユニット３の上面板９に形成した配線孔部１０から有線ＬＡＮケーブルを導出して管理コンピュータ２０とパソコンとを接続してもよい。
【００４３】
また、本実施例ではカードリーダによる個人認証情報の読み出しと、テンキーによる暗証番号の打ち込みで什器の使用者が物品にアクセスできるかどうかを判断しているが、カードリーダかテンキーのどちらか一方だけで認証作業をするようにしても良い。
【００４４】
更にまた、本実施例では扉の施錠を扉２の閉鎖を検知して電子錠６に施錠信号を送っているが、解錠後、個人認証情報を認証端末で再認証させると、施解錠装置が施錠するようにしても良い。このようにすれば、施解錠装置を施錠するためのドア開閉検知スイッチや該スイッチのための回路を構築する必要がなく、既に設けられている認証情報用の信号回路を利用することができる。
【図面の簡単な説明】
【００４５】
【図１】実施例１における什器を示す斜視図である。
【図２】実施例１における什器を示す正面図である。
【図３】図２における収納ユニットを示すＡ−Ａ横断平面図である。
【図４】図２における制御ユニットを示すＢ−Ｂ横断平面図である。
【図５】実施例２における什器を示す正面図である。
【図６】図５における什器を示すＣ−Ｃ縦断側面図である。
【符号の説明】
【００４６】
１                什器
３                収納ユニット
４                制御ユニット
６                電子錠（施解錠装置）
７                ファイル（物品）
８                収納ユニットＬＥＤ
９                上面板
１０              配線孔部
１１              蓋体
１２              ＲＦＩＤタグ
１４              背面板
１７              ＲＦＩＤアンテナ（読出装置）
２０              管理コンピュータ
２３              カードリーダ（認証端末）
２９              電子ブザー（報知手段）
３１              什器
３２              収納ユニット
３３              制御ユニット
３４              ＲＦＩＤアンテナ（読出装置）
３６              上面板
３８、３９        配線孔部
４０              背面板
４２              蓋体
４３              ＲＦＩＤタグ
４４              ファイル（物品）
４５              カードリーダ（認証端末）
４８              管理コンピュータ
５０              電子錠（施解錠装置）
【図１】
2006316525.tif 000003
【図２】
2006316525.tif 000004
【図３】
2006316525.tif 000005
【図４】
2006316525.tif 000006
【図５】
2006316525.tif 000007
【図６】
2006316525.tif 000008